【手続補正書】
【提出日】平成23年5月12日(2011.5.12)
【手続補正１】
【補正対象書類名】特許請求の範囲
【補正対象項目名】全文
【補正方法】変更
【補正の内容】
【特許請求の範囲】
【請求項１】
ネットワークを介して接続された複数の作業端末が管理サーバに対して作業を行うために必要な作業情報を管理するための作業情報管理装置であって、
前記複数の作業端末が前記管理サーバに対して行っている作業を定期的に監視して、行われている作業とそれに必要となる情報を通知する作業情報通知手段と、
前記複数の作業端末が前記管理サーバに対して行っている作業中に使用している情報が、他の作業端末により更新された場合、前記作業を行っている作業端末にその旨を通知する作業情報更新通知手段と、
前記作業情報通知手段または前記作業情報更新通知手段から通知された情報を前記作業端末に送信する作業情報送信手段とを有することを特徴とする作業情報管理装置。
【請求項２】
複数の作業端末と接続可能であり、各々の作業端末が作業を行うために必要な作業情報を管理するための作業情報管理装置であって、
前記作業端末が作業を行うために必要となる情報及びその更新状態を管理する作業情報管理手段と、
前記作業端末により行われる作業の稼動状況を監視する作業状況監視手段と、
前記作業状況監視手段により監視された作業内容を受けて前記作業を行うために必要な情報を前記作業情報管理手段から抽出する作業情報抽出手段と、
前記作業情報抽出手段で抽出された作業情報を通知する作業情報通知手段と、
前記作業情報抽出手段により抽出された作業情報が前記作業情報管理手段によって更新された場合に、前記作業情報の更新を通知する作業情報更新通知手段と、
前記作業情報通知手段または作業情報更新通知手段により通知された情報に基づいた要求により抽出された作業情報または更新された作業情報の内容を送信する作業情報送信手段と、
前記作業端末によって行われた作業により作成または更新された作業情報を受信して前記作業情報管理手段に登録する作業情報受信手段とを備えることを特徴とする作業情報管理装置。
【請求項３】
前記作業情報管理手段は、作業によって作成または更新された作業情報であるファイルまたはファイルの集合体を管理するファイル管理手段と、前記ファイルまたはファイルの集合体に付随する名称・種別・更新履歴・登録者・登録日時・セキュリティルールを含む属性情報を管理する属性情報管理手段と、前記作業情報受信手段により生じた情報の更新をリアルタイムに前記作業情報抽出手段に知らせる更新連絡手段とを備えることを特徴とする請求項２に記載の作業情報管理装置。
【請求項４】
前記作業状況監視手段は、前記作業端末からの作業開始連絡を受けて稼動状況管理テーブルに作業内容と作業元情報を登録する作業登録手段と、前記作業端末からの終了連絡を受けた作業を前記稼動状況管理テーブルから削除する作業削除手段と、前記作業端末の稼動を定期的に監視することにより終了を検知して前記作業削除手段に終了連絡を行なう稼動監視手段とを備えることを特徴とする請求項２に記載の作業情報管理装置。
【請求項５】
前記作業情報抽出手段は、作業とそれに必要となる情報の関連を管理する作業関連情報テーブルを用いて前記作業情報管理手段から情報を抽出して前記作業情報通知手段に通知する情報連携手段と、前記作業情報管理手段において情報の変化があれば前記稼動状況管理テーブルを参照し稼動中の作業を行うために必要となる情報であれば前記作業情報更新通知手段に情報の更新を通知する更新検出手段とを備えることを特徴とする請求項４に記載の作業情報管理装置。
【請求項６】
前記作業情報送信手段は、すべての情報を前記作業端末へ送信する全情報送信手段と、作業に対し前記属性情報を送信する属性情報送信手段と、作業からの指示に従った情報を送信する要求情報送信手段とを備え、
前記作業情報通知手段または前記作業情報更新通知手段から通知された情報に応じて送信手段を選択することを特徴とする請求項３に記載の作業情報管理装置。
【請求項７】
ネットワークを介して接続された複数の作業端末が管理サーバに対して作業を行うために必要な作業情報を管理するための作業情報管理方法であって、
前記複数の作業端末が前記管理サーバに対して行っている作業を定期的に監視して、行われている作業とそれに必要となる情報を通知する作業情報通知工程と、
前記複数の作業端末が前記管理サーバに対して行っている作業中に使用している情報が、他の作業端末により更新された場合、前記作業を行っている作業端末にその旨を通知する作業情報更新通知工程と、
前記作業情報通知工程または前記作業情報更新通知工程において通知された情報を前記作業端末に送信する作業情報送信工程とを有することを特徴とする作業情報管理方法。
【請求項８】
複数の作業端末と接続可能であり、各々の作業端末が作業を行うために必要な作業情報を管理するための作業情報管理方法であって、
前記作業端末が作業を行うために必要となる情報及びその更新状態を作業情報管理手段により管理する作業情報管理工程と、
前記作業端末により行われる作業の稼動状況を監視する作業状況監視工程と、
前記作業状況監視工程において監視された作業内容を受けて前記作業を行うために必要な情報を前記作業情報管理手段から抽出する作業情報抽出工程と、
前記作業情報抽出工程において抽出された作業情報を通知する作業情報通知工程と、
前記作業情報抽出工程において抽出された作業情報が前記作業情報管理工程において更新された場合に、前記作業情報の更新を通知する作業情報更新通知工程と、
前記作業情報通知工程または作業情報更新通知工程において通知された情報に基づいた要求により、抽出された作業情報または更新された作業情報の内容を作業情報送信手段により送信する作業情報送信工程と、
前記作業端末によって行われた作業により作成または更新された作業情報を受信して前記作業情報管理手段に登録する作業情報受信工程とを備えることを特徴とする作業情報管理方法。
【請求項９】
ネットワークを介して接続された複数の作業端末が管理サーバに対して作業を行うために必要な作業情報を管理するための作業情報管理方法の各工程をコンピュータに実行させる作業情報管理プログラムであって、
前記複数の作業端末が前記管理サーバに対して行っている作業を定期的に監視して、行われている作業とそれに必要となる情報を通知する作業情報通知工程と、
前記複数の作業端末が前記管理サーバに対して行っている作業中に使用している情報が、他の作業端末により更新された場合、前記作業を行っている作業端末にその旨を通知する作業情報更新通知工程と、
前記作業情報通知工程または前記作業情報更新通知工程において通知された情報を前記作業端末に送信する作業情報送信工程とをコンピュータに実行させることを特徴とする作業情報管理プログラム。
【請求項１０】
複数の作業端末と接続可能であり、各々の作業端末が作業を行うために必要な作業情報を管理するための作業情報管理方法の各工程をコンピュータに実行させる作業情報管理プログラムであって、
前記作業端末が作業を行うために必要となる情報及びその更新状態を作業情報管理手段により管理する作業情報管理工程と、
前記作業端末により行われる作業の稼動状況を監視する作業状況監視工程と、
前記作業状況監視工程において監視された作業内容を受けて前記作業を行うために必要な情報を前記作業情報管理手段から抽出する作業情報抽出工程と、
前記作業情報抽出工程において抽出された作業情報を通知する作業情報通知工程と、
前記作業情報抽出工程において抽出された作業情報が前記作業情報管理工程において更新された場合に、前記作業情報の更新を通知する作業情報更新通知工程と、
前記作業情報通知工程または作業情報更新通知工程において通知された情報に基づいた要求により、抽出された作業情報または更新された作業情報の内容を作業情報送信手段により送信する作業情報送信工程と、
前記作業端末によって行われた作業により作成または更新された作業情報を受信して前記作業情報管理手段に登録する作業情報受信工程とをコンピュータに実行させることを特徴とする作業情報管理プログラム。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】